(57)【特許請求の範囲】
【請求項１】
長手方向端部に中央部から一側部にわたりかつ躯体摺動を吸収可能な長さで矩形状の切欠部を設けて本体カバーを形成するとともに、この切欠部を閉塞するに十分な大きさで可動カバーを形成し、上記本体カバーは、少なくとも一方の躯体側に躯体間隙幅方向及び同長手方向に可動可能に装着して両躯体間に渡した本体ホルダーに固着して取付け、本体ホルダーの上記可動可能な装着は、躯体間隙に沿って固着したガイドレールにスライド可能に係合したスライド部材と、躯体間隙幅方向にスライド可能なガイド溝を介して本体ホルダーにスライド可能に係合したスライド部材とを連結した構成としてなし、上記可動カバーは、可動ホルダーに固着して取付け、この可動ホルダーは、少なくとも一端部を上記本体ホルダーと同様にスライド部材を介装してガイドレールにスライド可能に連結し、他端部を他方の躯体側に連結させた構成を有することを特徴とする躯体間隙カバー。
【請求項２】
ガイドレールに係合したスライド部材と本体ホルダー及び可動ホルダーに係合したスライド部材とを、互いに回転可能にかつ本体ホルダー乃至可動ホルダーを躯体側に圧接するようにバネ部材を介装させて連結した構成を有する請求項１に記載の躯体間隙カバー。
【請求項３】
一方の躯体側のガイドレールに係合する可動ホルダー側のスライド部材と、これに隣接する本体ホルダー側のスライド部材との間に、本体カバーの長手方向端部外方に付勢する付勢手段を介装した構成を有する請求項１又は２に記載の躯体間隙カバー。
【請求項４】
可動ホルダーの他端部を、他方の躯体間隙に沿って固着した本体カバー切欠部以上の長さのガイドレールに、スライド部材を介装してスライド可能かつ躯体奥行方向に変位可能に連結した構成を有する請求項１〜３のいずれかに記載の躯体間隙カバー。
【発明の詳細な説明】
【０００１】
【発明の属する技術分野】
本発明は、隣接躯体間隙を塞ぎ躯体間の摺動を吸収し得る躯体間隙カバー、特にはその端部構造に関する。
【０００２】
【従来の技術】
従来の躯体間隙カバーは、本体カバーの端部に端部カバーをスライド可能に乗せるか、両側を直接スライド係合して支持させ、スプリングで端部カバーを外方に付勢させた構成であった。また、本体カバーと端部カバーの裏面に支持金具を固定し、両者に渡ってボルト棒を挿通してスライド方向性を持たせようとした構成も示されていた。
【０００３】
【発明が解決しようとする課題】
しかしながら、端部カバーを本体カバーで直接支持する場合は、端部カバーの荷重で本体カバーの端部に撓みなどの損傷が生じるおそれが大きく、わずかな損傷でも端部カバーのスライド性能を阻害し、躯体摺動に対応することができなくなり、躯体間隙カバーを破損させてしまうおそれがあった。また、両側をスライド係合させた場合、端部カバー全体に均等な外圧が加わらず、わずかでもねじれ方向に外圧が加わった場合は、端部カバーのスライドが妨げられ、破壊につながることがあった。
本発明は、上記問題点を解消すると同時に、従来構成とは異なった独自な着眼に基づいた新たな構成を有する躯体間隙カバーを提供すべくなしたものである。
【０００４】
【課題を解決するための手段】
上記課題を解決するために、本発明は、長手方向端部に中央部から一側部にわたりかつ躯体摺動を吸収可能な長さで矩形状の切欠部を設けて本体カバーを形成するとともに、この切欠部を閉塞するに十分な大きさで可動カバーを形成し、上記本体カバーは、少なくとも一方の躯体側に躯体間隙幅方向及び同長手方向に可動可能に装着して両躯体間に渡した本体ホルダーに固着して取付け、本体ホルダーの上記可動可能な装着は、躯体間隙に沿って固着したガイドレールにスライド可能に係合したスライド部材と、躯体間隙幅方向にスライド可能なガイド溝を介して本体ホルダーにスライド可能に係合したスライド部材とを連結した構成としてなし、上記可動カバーは、可動ホルダーに固着して取付け、この可動ホルダーは、少なくとも一端部を上記本体ホルダーと同様にスライド部材を介装してガイドレールにスライド可能に連結し、他端部を他方の躯体側に連結させた構成を有した躯体間隙カバーとなしたものである。
【０００５】
上記において、ガイドレールに係合したスライド部材と本体ホルダー及び可動ホルダーに係合したスライド部材とは、互いに回転可能にかつ本体ホルダー乃至可動ホルダーを躯体側に圧接するようにバネ部材を介装させて連結した構成とするのが好ましい。また、一方の躯体側のガイドレールに係合する可動ホルダー側のスライド部材と、これに隣接する本体ホルダー側のスライド部材との間に、本体カバーの長手方向端部外方に付勢する付勢手段を介装するのが好ましい。
さらに、可動ホルダーの他端部は、他方の躯体間隙に沿って固着した本体カバー切欠部以上の長さのガイドレールに、スライド部材を介装してスライド可能かつ躯体奥行方向に変位可能に連結した構成とすることができる。
【０００６】
【発明の実施の形態】
以下、本発明の一例としての実施例の形態を図面によって説明する。なお、図面は天井用エキスパンションジョイントとして示してあるが、本発明は床その他の用途にも適応できるものである。
間隙を置いて隣接する躯体（天井）Ａ，Ｂ間には躯体間隙カバーが被覆される。本発明ではこの躯体間隙カバーを本体カバー１と可動カバー２とにより構成してある。本体カバー１はその両側部（長手側部）が隣接躯体Ａ，Ｂの平面上にスライド可能に接面し、長手方向端部に交差躯体面が当接する。
【０００７】
本体カバー１は、躯体間隙長手方向および幅方向にスライド可能なように両躯体に跨って適宜間隔で設置した複数本の本体ホルダー３に平坦状のカバー面１ａを被着の上、ビス固定などにより固着し、カバー面１ａの両側部は躯体摺動を吸収可能な適宜幅分を両躯体面にスライド可能に対面させ、両側縁に躯体面に圧接するパッキン材１ｂを装着してあり、本体カバーの長手方向両端部にその中央部から一側部にわたる幅がカバー面の略々半分でかつ躯体摺動を吸収可能な適宜長さからなる大きさの切欠部１ｃ、１ｃを設けてある。
【０００８】
可動カバー２は、上記切欠部１ｃを塞ぐカバー面２ａを有するが、切欠部よりも大きく、切欠部１ｃの切り欠き二辺部分が適宜幅で本体カバーのカバー面１ａ部分と重合する大きさとしてなり、本体カバーの側縁と合致する一側縁に躯体面に圧接するパッキン材２ｂを装着してあり、切欠部１ｃ内の位置で、
躯体間隙長手方向および幅方向にスライド可能なように両躯体に跨って設置した１本の可動ホルダー４にカバー面２ａを被着の上、ビス固定などにより固着してある。
【０００９】
本体ホルダー３は、図５〜９に示すように、断面Ｃチャンネル状の角型材であってＣ形開口部の対向縁部には型材長手方向のガイド溝３ａを形成してあり、型材一端部を、躯体Ａ端部に躯体間隙に沿って固着したガイドレール５に連結し、この連結は、ガイドレール５にスライド可能に係合するスライド部材６と、これに係止し本体ホルダー３に対して型材長手方向（間隙幅方向）にスライド可能に係合したスライド部材７を介装した構成となし、型材他端部を、図５に示すように、躯体Ｂに固着した固定部材８に連結してある。
【００１０】
上記スライド部材６は、ガイドレール５にスライド可能に凹凸係合する係合部６ａの外側にバネ係止部６ｂを突設して形成してある。
スライド部材７は、本体ホルダーのガイド溝３ａにスライド可能に係合する基板部７ａの中間部から支持片７ｂを突設し、支持片中間部から両側にバネ取付杆７ｃを突設し、支持片先端部にバネ係止部７ｄを切欠状に形成してあり、ねじりバネ７ｅのねじり部をバネ取付杆７ｃに被着し、バネの中間支点部をバネ係止部７ｄに係止させ、バネの両端支点部を外方に鈎状に折曲してスライド部材６のバネ係止部６ｂに係止させることにより、スライド部材７係合の本体ホルダー３の先端部がスライド部材６の下側すなわち躯体Ａ側に圧接するようにしてある。
【００１１】
この連結構成によれば、スライド部材７は型材方向（躯体間隙幅方向）にスライド可能に係合して本体ホルダー３を支持し、スライド部材７はねじりバネ７ｅによってスライド部材６に結合し、同時に本体ホルダー端部は該バネ７ｅによってスライド部材６の下側（躯体Ａの下面側）に上下回動可能に圧接し、スライド部材６はガイドレール５にスライド可能に係合することによって、本体ホルダー３が躯体Ａ側に対して躯体間隙長手方向および幅方向にスライド可能にかつ躯体間隙奥行方向に回動可能に連結されることになる。
【００１２】
固定部材８は、本体ホルダー３の上記端部とは反対端部を躯体Ｂ側に連結するものであり、躯体への固定面にバネ係止部８ａを形成してあり、ねじりバネ８ｂのねじり部を本体ホルダー３の端部両側面に設けた突起部３ｂに被着し、バネの中間支点部を本体ホルダーの底面部に抱持させ、両端支点部を上記バネ係止部８ａに係止することによって、本体ホルダー３が躯体Ｂ側に圧接固定されかつ躯体間隙奥行方向に回動可能に連結されることになる。
【００１３】
可動ホルダー４の一端部は、本体ホルダー３の一端部の連結構成と同様に、スライド部材６、７およびねじりバネ７ｅを介装してガイドレール５にスライド可能に連結してある。なお、図６では符号を、本体ホルダー３に連結するスライド部材６、可動ホルダー４に連結するスライド部材６１として表示してある。
可動ホルダー４の他端部は、図９に示すように、本体カバーの切欠部１ｃの長さと略々同長か或いはそれ以上の長さを有するガイドレール９を躯体Ｂに躯体間隙に沿って固着し、これにスライド可能にスライド部材１０（スライド部材６と同様構成）を係合し、この下側に可動ホルダー４の他端部を接合させ、両者の接合部分に圧縮バネ１１ａを介装させたボルト１１ｂ、ナット１１ｃを通して締め付け固定することにより、本体ホルダー３が躯体Ｂ側に圧接固定されかつ躯体間隙奥行方向に回動可能に連結されることになる。
【００１４】
可動ホルダー４に連結しガイドレール５に係合するスライド部材６１（図６）と、これに隣接配置される本体ホルダー３のスライド部材６との間には、離反方向すなわちカバー端外方にスライド部材６１を付勢する付勢機構１２を介装してある。例えば、両スライド部材には、それぞれ支持片６ｃを突設させ、両支持片６ｃ，６ｃを貫通して軸杆１２ａを架設し、両支持片間の軸杆１２ａに圧縮バネ１２ｂを介装し、軸杆１２ａに抜け外れ防止の止めピン１２ｃを止着してある。
ガイドレール５の端には、ストッパー１３を係合し、ビス１４などで固着し、スライド部材６１がガイドレール５から抜け外れないようにしてある。
【００１５】
上記構成によれば、本体ホルダー３は、躯体Ａ，Ｂが摺動し合った場合、躯体間隙長手方向，幅方向いずれにもスライドして摺動を吸収することができ、さらには躯体間隙奥行方向への摺動もバネ変形による回動により吸収が可能であるので、躯体摺動に係わらず、本体カバー１を安全に保持することができる。
可動ホルダー４は、本体ホルダー１と同様のみならず、両端部をガイドレール５、９に係合させたので、可動カバー端面が躯体部分に衝突し或いは躯体部分が該端面を加圧した場合、可動カバー２と可動ホルダー４が単独でスムーズにスライドして衝突乃至加圧を吸収することができる。ストッパー位置と付勢機構位置がガイドレール上にあるので、本体カバ−が幅方向かつ長手方向にずれてもスムーズに可動する。ストッパーはホルダー材とカバー材間に入り込むことがない。
【００１６】
躯体間隙幅方向への躯体摺動状態は伸縮同等とみればよいから、本体カバー１の切欠部１ｃ幅は本体カバー幅の略々半分とするのが好ましく、間隙長手方向の切欠部長さは想定され得る摺動幅を含むように設定すればよい。
なお、上記構成は適宜設計変更が可能であり、例えば本体ホルダー、可動ホルダーの連結構成はスライド可能な構成であれば任意構成とすることができ、本体カバーの取付け構成も任意であり、本発明はこれらを含むものである。
【００１７】
【発明の効果】
上記のように、本発明によれば、本体カバーの端部を中間部から一側部にわたって切欠し、ここに可動カバーをスライド可能に配設した新しい構成の躯体間隙カバーを簡単な構成で提供することができる。
可動カバーを両躯体に渡って設置した可動ホルダーに支持させることにより、本体カバーに負担を与えることなく設置することができ、可動ホルダーは両端部をガイドレールにスライド可能に連結して、本体カバーとのスライド係合構造を取らず、可動カバーを本体カバーと分離した単独スライド可能な構成として、安定しかつ損傷の生じにくい躯体間隙カバー構成を採用することができる。
躯体側に設置したガイドレールに沿って可動カバー乃至可動ホルダーに外方付勢を与える構成を採用すれば、可動カバーのスライド容易性とともに復元確実性を一層高めることができる。
【図面の簡単な説明】
【図１】  本発明に係る躯体間隙カバーの設置状態を示す平面図である。
【図２】  図１の躯体摺動状態を示す平面図である。
【図３】  図１の躯体間隙カバー端部を示す平面斜視図である。
【図４】  図２の躯体間隙カバー端部を示す平面斜視図である。
【図５】  躯体間隙カバーの設置状態を分解して示した平面斜視図である。
【図６】  ガイドレールとスライド部材を示す部分斜視図である。
【図７】  ホルダーとスライド部材を示す部分斜視図である。
【図８】  可動ホルダー一端部とガイドレールとの連結状態を示す部分斜視図である。
【図９】  可動ホルダー他端部とガイドレールとの連結状態を示す部分分解斜視図である。
【符号の説明】
Ａ，Ｂ    躯体
１        本体カバー
１ａ      カバー面
１ｂ      パッキン材
１ｃ      切欠部
２        可動カバー
２ａ      カバー面
２ｂ      パッキン材
３        本体ホルダー
３ａ      ガイド溝
３ｂ      突起部
４        可動ホルダー
５        ガイドレール
６、６１  スライド部材
６ａ      係合部
６ｂ      バネ係止部
６ｃ      支持片
７        スライド部材
７ａ      基板部
７ｂ      支持片
７ｃ      バネ取付杆
７ｄ      バネ係止部
７ｅ      ねじりバネ
８        固定部材
８ａ      バネ係止部
８ｂ      ねじりバネ
９        ガイドレール
１０      スライド部材
１１ａ    バネ
１１ｂ    ボルト
１１ｃ    ナット
１２      付勢機構
１２ａ    軸杆
１２ｂ    圧縮バネ
１２ｃ    止めピン
１３      ストッパー
１４      ビス
【図１】
0003645507.tif 000002
【図２】
0003645507.tif 000003
【図３】
0003645507.tif 000004
【図４】
0003645507.tif 000005
【図５】
0003645507.tif 000006
【図６】
0003645507.tif 000007
【図７】
0003645507.tif 000008
【図８】
0003645507.tif 000009
【図９】
0003645507.tif 000010